【事件の表示】
　特願２０１４−　５１８７５「画像形成装置、画像形成装置の制御方法及びプログラム」拒絶査定不服審判事件〔平成２７年１０月　５日出願公開、特開２０１５−１７４２９８〕について、次のとおり審決する。
【結　論】
　本件審判の請求は、成り立たない。
【理　由】
第１　手続の経緯
　本願は、平成２６年３月１４日を出願日とする出願であって、平成２９年１２月２１日付けで拒絶理由が通知され、平成３０年２月２３日に意見書及び手続補正書が提出され、同年６月２９日付けで拒絶理由が通知され、同年８月２８日に意見書及び手続補正書が提出され、同年１２月２５日付けで拒絶査定がなされたのに対し、平成３１年４月３日に拒絶査定不服審判の請求がされると同時に手続補正書が提出され、令和２年１０月６日付けで当審において拒絶理由（以下、「当審拒絶理由」という。）が通知され、同年１２月８日に意見書及び手続補正書が提出されたものである。
第２　本願発明について
　本願の請求項１ないし９に係る発明は、令和２年１２月８日に提出された手続補正書により補正された特許請求の範囲の請求項１ないし９に記載された事項により特定されるものと認められるところ、その請求項１に係る発明（以下「本願発明」という。）は、以下のとおりのものである。　
「【請求項１】
　画像形成装置であって、
　画面を色反転するか否かを示す色反転情報を、ユーザを識別するためのユーザ識別情報に関連付けて個人設定情報として記憶し、前記画面を色反転するか否かを示す色反転情報を、前記個人設定情報とは独立したデバイス設定情報として記憶する記憶手段と、
　前記画像形成装置にユーザをログインさせるためのログイン処理を実行する実行手段と、
　前記画像形成装置にユーザがログインしたことに従って、前記画像形成装置にログインしたユーザを識別するためのユーザ識別情報に関連付けて前記記憶手段に記憶された色反転情報に基づいて操作画面を表示する表示手段と、
を有し、
　前記実行手段は、前記画像形成装置から、前記ユーザをログアウトさせるログアウト処理を実行させ、
　前記表示手段は、前記画像形成装置に前記ユーザがログインしている状態である間は、当該ユーザを識別するためのユーザ識別情報に関連付けて前記記憶手段に記憶された色反転情報に基づいて操作画面を表示し、前記画像形成装置からユーザがログアウトしたことに従って、前記記憶手段に前記デバイス設定情報として記憶された色反転情報に基づいて操作画面を表示することを特徴とする画像形成装置。」
第３　当審拒絶理由
　当審拒絶理由の概要
　当審拒絶理由は、この出願の請求項１、２、８、９に係る発明は下記の引用文献１、２に記載された発明に基づいて、請求項３に係る発明は下記の引用文献１、２、３に記載された発明に基づいて、請求項４、５に係る発明は下記の引用文献１、２、３、４に記載された発明に基づいて、請求項６、７に係る発明は下記の引用文献１、２、３、４、５に記載された発明に基づいて、その出願前にその発明の属する技術の分野における通常の知識を有する者が容易に発明をすることができたものであるから、特許法２９条２項の規定により特許を受けることができない、というものである。
引用文献１：特開２０１１−１２３８２４号公報
引用文献２：特開２０１３−１３１８７５号公報
引用文献３：特開２００４−３４１８１３号公報
引用文献４：特開２０１１−５９９５８号公報
引用文献５：特許第４１８２０９９号公報
第４　引用文献の記載及び引用発明
（１）引用文献１の記載
　当審拒絶理由で引用された引用文献１には以下の記載がある。（なお、下線は強調のために当審が付した。以下同じ）
ア　「【００３８】
　ログインボタン３２は、
ＭＦＰ
に対する
ユーザの
ログイン処理を行う
【００３９】
　例えばＭＦＰ１にユーザがログインしていない状態でログインボタン３２が操作された場合、ＭＦＰ１は、タッチパネル３１の表示面３１１に、ユーザのＩＤ及びパスワードを入力するためのログイン画面（図示は省略する）を表示する。ＭＦＰ１は、タッチパネル３１へのタッチ操作又はテンキー４８のプッシュ操作等によりＩＤ及びパスワードの入力を受け付け、認証情報を参照することによりログインの可否を決定する。またＭＦＰ１にユーザがログインしている状態でログインボタン３２が操作された場合、ＭＦＰ１は、ログイン中のユーザの
ログアウト処理を行う
これらの
処理は、ＭＦＰ
の処理部
により行われ
【００６４ 】
　共通ショートカット画面１２０のショートカットボタン１２１〜１２６及び個別ショートカット画面１４０ のショートカットボタン１４１〜１４６とＭＦＰ１の機能との対応付けは、対応情報として
ＭＦＰ
の
対応情報の
構成
ＲＯＭ
に記憶される
対応情報
ユーザＩＤ、初期画面、ボタン番号及び機能の情報
【００６５】
　ユーザＩＤは、ＭＦＰ１を利用するユーザを識別するための情報であり、ＭＦＰ１へのログインを行う際にユーザが入力する情報である。図示の例では、例えば”ＵＳＥＲ００１”及び”ＵＳＥＲ００２”のユーザＩＤが登録されている。なお、ユーザＩＤが”全ユーザ”の箇所は共通ショートカット画面１２０のショートカットボタン１２１〜１２６に関する設定であり、これ以外の箇所は個別ショートカット画面１４０のショートカットボタン１４１〜１４６に関する設定である。
【００６６】
　上述のように、各ユーザはログイン後にタッチパネル３１の表示面３１１に表示させる画面の設定を行うことができ、この
設定は対応情報の初期画面として登録
【００６９】
　ログインボタン３２が操作された場合（Ｓ１：ＹＥＳ）、ＭＦＰ１は、操作がなされる以前にユーザがログイン中であったか否かを判定する（ステップＳ２）。ユーザがログイン中であった場合（Ｓ２：ＹＥＳ）、
ＭＦＰ
は、このユーザのログアウト処理を行って
、ＲＯＭ
に記憶した対応情報の”全ユーザ”に登録された初期画面をタッチパネル
の表示面
に表示
【００７０】
　ユーザがログイン中でなかった場合（Ｓ２：ＮＯ）、ＭＦＰ１は、タッチパネル３１の表示面３１１に、ユーザＩＤ及びパスワード等の情報の入力を受け付けるための認証情報入力画面を表示する（ステップＳ５）。次いで、ＭＦＰ１は、認証情報入力画面に対する情報の入力が完了したか否かを判定し（ステップＳ６）、入力が完了していない場合には（Ｓ６：ＮＯ）、ステップＳ５へ処理を戻す。入力が完了した場合（Ｓ６：ＹＥＳ）、ＭＦＰ１は、ＲＯＭ１１から認証情報を読み出して（ステップＳ７）、入力された情報と読み出した認証情報とが一致するか否かに応じて、認証が成功したか否かを判定する（ステップＳ８）。認証に失敗した場合（Ｓ８：ＮＯ）、ＭＦＰ１は、ステップＳ５へ処理を戻し、正しい情報の入力を促す。認証に成功した場合（Ｓ８：ＹＥＳ）、ＭＦＰ１は、入力された情報に係る
ユーザをログインさせ、このユーザに対して設定された初期画面をタッチパネル
の表示面
に表示
【００８３】
　図１４は、ＭＦＰ１が行う初期画面の設定受付処理の手順を示すフローチャートであり、ＭＦＰ１の処理部１０の表示設定受付部１０５が行う処理である。例えばＭＦＰ１において、初期画面の設定は、操作部３０の設定ボタン４５の操作に応じてタッチパネル３１の表示面３１１に表示される設定メニューから初期画面設定の項目を選択することで行うことができる。ＭＦＰ１は、設定メニューから初期画面設定の項目が選択されたか否かを判定し（ステップＳ７１）、初期画面設定の項目が選択されていない場合には（Ｓ７１：ＮＯ）、初期画面設定の項目が選択されるまで待機する。
【００８４】
　初期画面設定の項目が選択された場合（Ｓ７１：ＹＥＳ）、ＭＦＰ１は、ユーザ毎に個別に設定可能な初期画面の設定か、又は、全ユーザに共通の初期画面の設定かに係る選択を受け付ける画面をタッチパネル３１の表示面３１１に表示する。この画面に対するタッチ操作に応じて、ＭＦＰ１は、ユーザ毎の初期画面の設定が選択されたか否かを判定する（ステップＳ７２）。ユーザ毎の初期画面の設定が選択されていない場合Ｓ７２：ＮＯ）、ＭＦＰ１は、ステップＳ７５へ処理を進める。
【００８５】
　ユーザ毎の初期画面の設定が選択された場合（Ｓ７２：ＹＥＳ）、ＭＦＰ１は、既にユーザがログイン中であるか否かを更に判定する（ステップＳ７３）。ユーザがログイン中の場合（Ｓ７３：ＹＥＳ）、ＭＦＰ１は、ステップＳ７５へ処理を進める。ユーザがログイン中でない場合（Ｓ７３：ＮＯ）、ＭＦＰ１は、表示面３１１への認証情報入力画面の表示、ユーザからの情報入力の受け付け、認証情報及び入力情報の一致／不一致の判定等の認証処理を行う（ステップＳ７４）。ステップＳ７４にて行う認証処理は、図９に示したフローチャートのステップＳ５〜Ｓ８にて行う処理と同様であるため、詳細な説明は省略する。認証情報に成功した場合、ＭＦＰ１は、ステップＳ７５へ処理を進める。
【００８６】
　次いでＭＦＰ１は、タッチパネル３１の表示面３１１に、初期画面の設定を受け付ける設定画面を表示する（ステップＳ７５）。この設定画面は、例えば初期画面として設定可能な画面（コピー機能の設定画面１１０、共通ショートカット画面１２０及び個別ショートカット画面１４０等）の名称を一覧表示し、表示されたいずれかの名称に対するタッチ操作に応じて初期画面の選択を受け付ける構成とすることができる。ＭＦＰ１は、設定画面に対するタッチ操作により、初期画面の選択入力が完了したか否かを判定し（ステップＳ７６）、完了していない場合には（Ｓ７６：ＮＯ）、ステップＳ７５へ処理を戻し、選択入力が完了するまで待機する。
【００８７】
　初期画面の選択入力が完了した場合（Ｓ７６：ＹＥＳ）、ＭＦＰ１は、選択された初期画面に応じて、ＲＯＭ１１に記憶した対応情報を更新し（ステップＳ７７）、更新した対応情報に基づく初期画面をタッチパネル３１の表示面３１１に表示して（ステップＳ７８）、処理を終了する。」が記載されている。
図８は次のものである。
図１４は次のものである。
イ　前記「ア」の「【００６４ 】・・・対応情報として
ＭＦＰ
の
対応情報の
構成
ＲＯＭ
に記憶される
対応情報には、ユーザＩＤ、初期画面、ボタン番号及び機能の情報が含まれ
　図８をみると、対応情報の構成は、
ユーザＩＤの情報毎にそれぞれ、初期画面、ボタン番号及び機能の各情報が対応づけられて
　前記段落【００６４】と図８の記載をふまえると、
ＭＦＰのＲＯＭにはユーザＩＤの情報毎にそれぞれ、初期画面、ボタン番号及び機能の各情報が対応づけられた対応情報が記憶され
ウ　前記「ア」の「【００６５】・・・図示の例では、例えば”ＵＳＥＲ００１”及び”ＵＳＥＲ００２”のユーザＩＤが登録されている。なお、ユーザＩＤが”全ユーザ”の箇所は共通ショートカット画面１２０のショートカットボタン１２１〜１２６に関する設定であり、これ以外の箇所は個別ショートカット画面１４０のショートカットボタン１４１〜１４６に関する設定である。」との記載から「ユーザＩＤ」として登録されるのは「”ＵＳＥＲ００１”」、「”ＵＳＥＲ００２”」、「全ユーザ」である。
　前記「ア」の「【００６６】・・・各ユーザはログイン後にタッチパネル３１の表示面３１１に表示させる画面の設定を行うことができ、この設定は対応情報の初期画面として登録されている。図示の例においてＭＦＰ１は、”ＵＳＥＲ００１”がログインした場合にＭＦＰ１は個別ショートカット画面１４０を表示し、”ＵＳＥＲ００２”がログインした場合にＭＦＰ１は共通ショートカット画面１２０を表示する。・・・」の記載をふまえれば、前記「”ＵＳＥＲ００１”」、「”ＵＳＥＲ００２”」とは、各ユーザ毎のＩＤのことであることが理解できる。
　よって、
ユーザＩＤの情報は、各ユーザ毎のＩＤと”全ユーザ”からな
エ　前記「ア」の「【００３８】・・・ログイン処理を行う。」の「ログイン処理」と、「【００７０】・・・ユーザをログインさせ、このユーザに対して設定された初期画面をタッチパネル３１の表示面３１１に表示し・・・」の「ログインさせ」ることは、いずれも同じことを意味していると解されるから、それぞれを「ログイン処理」と用語を統一して認定することとする。
オ　前記「ア」の段落【００８４】ないし【００８６】の記載及び図１４のフローチャートによれば、「初期画面の設定を受け付ける設定画面を表示する」ステップ７５（段落【００８６】）は、「ユーザ毎の初期画面の設定が選択された場合」（ステップ７２においてＹＥＳ）と、「ユーザ毎の初期画面の設定が選択されていない場合」（ステップ７２においてＮＯ）のいずれの場合にも実行される」ことが理解できる。
　そして、段落【００８４】の「ユーザ毎に個別に設定可能な初期画面の設定か、又は、全ユーザに共通の初期画面の設定かに係る選択を受け付ける画面をタッチパネル３１の表示面３１１に表示する。この画面に対するタッチ操作に応じて、ＭＦＰ１は、ユーザ毎の初期画面の設定が選択されたか否かを判定する（ステップＳ７２）」との記載によれば、「ユーザ毎の初期画面の設定が選択された場合」（ステップ７２においてＹＥＳ）とは、ユーザ毎の初期画面の設定が選択された場合であり、「ユーザ毎の初期画面の設定が選択されていない場合」（ステップ７２においてＮＯ）とは、全ユーザに共通の初期画面の設定をする場合のことであると解されるので、「
初期画面の設定を受け付ける設定画面を表示する
ユーザ毎の初期画面の設定
全ユーザに共通の初期画面の設定を
カ　前記「ア」の「【００８６】・・・初期画面の設定を受け付ける設定画面を表示する（ステップＳ７５）。この設定画面は、例えば初期画面として設定可能な画面（コピー機能の設定画面１１０、共通ショートカット画面１２０及び個別ショートカット画面１４０等）の名称を一覧表示し、表示されたいずれかの名称に対するタッチ操作に応じて初期画面の選択を受け付ける構成とすることができる。」の記載を整理すると、「初期画面の設定を受け付ける設定画面を表示する」（ステップ７５）は、
「初期画面として設定可能な複数の画面の名称を一覧表示し、その中から選択を受け付ける画面を表示すること」
（３）引用文献１記載の発明
　以上によれば、引用文献１には、つぎの発明（以下「引用発明」という。）が記載されているものと認められる。
「ＭＦＰへ対するユーザのログイン処理及びログアウト処理はＭＦＰの処理部により行われ、ユーザ毎の初期画面の設定及び全ユーザに共通の初期画面の設定は、初期画面として設定可能な複数の画面の名称を一覧表示し、その中から選択を受け付ける画面を表示することによっておこなわれ、ＭＦＰのＲＯＭにはユーザＩＤの情報毎にそれぞれ、初期画面、ボタン番号及び機能の各情報が対応づけられた対応情報が記憶され、ユーザＩＤは、各ユーザ毎のＩＤと”全ユーザ”からなり、ログアウト処理を行った場合、ＲＯＭに記憶した対応情報の”全ユーザ”に登録された初期画面をタッチパネルの表示面に表示し、ユーザのログイン処理を行った場合、このユーザに対して対応情報の初期画面として登録された初期画面をタッチパネルの表示面に表示するＭＦＰ。」
（４）当審の判断
ア　本願発明と引用発明との対比
（ア）引用発明の「ＭＦＰ」、「ログイン処理」、「ログアウト処理」、「各ユーザ毎のＩＤ」、「タッチパネルの表示面」はそれぞれ、本願発明の「画像形成装置」、「ログイン処理」、「ログアウト処理」、「ユーザを識別するためのユーザ識別情報」、「表示手段」に相当する。
　
（イ）引用発明の「処理部」は、「ＭＦＰへ対するユーザのログイン処理及びログアウト処理」を行うものであるから、本願発明の「画像形成装置にユーザをログインさせるためのログイン処理を実行する実行手段」及び「前記画像形成装置から、前記ユーザをログアウトさせるログアウト処理を実行させ」る「実行手段」に相当する。
（ウ）引用発明において「ユーザ毎の初期画面」及び「全ユーザに共通の初期画面」は、ＭＦＰのＲＯＭに記憶され、「タッチパネルの表示面に表示」する内容を示す「情報」であるといえるから、当該「ユーザ毎の初期画面」及び「全ユーザに共通の初期画面」と本願発明の「画面を色反転するか否かを示す色反転情報」とは、「表示手段の表示態様を決定する情報」という点で共通する。
（エ）引用発明の「ユーザ毎の初期画面」は、ユーザ毎に名称一覧から選択して設定して記憶された情報であるから、本願発明の「個人設定情報」に相当する。
　引用発明において、「ＭＦＰのＲＯＭにはユーザＩＤの情報毎にそれぞれ初期画面」・・・の「情報が対応づけられた対応情報が記憶され」ることは、本願発明の「ユーザを識別するためのユーザ識別情報に関連付けて個人設定情報として記憶」することに相当する。
　
（オ）本願発明の「デバイス設定情報」について、本願発明の詳細な説明を参照すると「デバイス設定情報（共有設定情報）」（段落【００２４】）と記載されているので、「デバイス設定情報」とは共有設定情報、すなわち、そのデバイスを使用するユーザ間で共有される設定情報のことを意味するものと解される。
　そして、引用発明の「全ユーザに共通の初期画面」は、ＭＦＰを使用するユーザに共通して用いられる初期画面であることは明らかであるから、引用発明の「全ユーザに共通の初期画面」は、本願発明の「デバイス設定情報」に相当する。
（カ）引用発明において、「ＭＦＰのＲＯＭにはユーザＩＤの情報毎にそれぞれ初期画面、ボタン番号及び機能の各情報が対応づけられた対応情報が記憶され」ており、「ユーザＩＤは、各ユーザ毎のＩＤと”全ユーザ”からな」るものであるから、前記「初期画面」には、各ユーザ毎のＩＤに対応づけられたものと、”全ユーザ”に対応づけられたものがあり、それらの「初期画面」はそれぞれ個別に設定可能な情報である。そして、前記各ユーザ毎のＩＤそれぞれに対応づけられた情報である「各ユーザ毎の初期画面」（本願発明の「個人設定情報」に相当。）と、「”全ユーザ”」に対応づけられた情報である「全ユーザに共通の初期画面」（本願発明の「デバイス設定情報」に相当。）がそれぞれ個別に設定可能なものであることからすれば、引用発明の各ユーザ毎のＩＤにそれぞれ対応付けられて記憶された「各ユーザ毎の初期画面」の「情報」は、本願発明の「個人設定情報とは独立したデバイス設定情報」であることに相当する。
（キ）引用発明は「ＭＦＰのＲＯＭにはユーザＩＤの情報毎に」「各ユーザ毎の初期画面」の「情報」が記憶されるものであり、前記「ユーザＩＤは、各ユーザ毎のＩＤと”全ユーザ”からな」るから、引用発明の「ユーザ毎の初期画面」及び「全ユーザに共通の初期画面」を記憶する「ＲＯＭ」は、本願発明の「個人設定情報」と「デバイス設定情報」を「記憶する記憶手段」に相当する。
（ク）前記（ウ）で検討したとおり、引用発明の「全ユーザに共通の初期画面」の情報と本願発明の「画面を色反転するか否かを示す色反転情報」とは、「表示手段の表示態様を決定する情報」という点で共通するから、引用発明の「ログアウト処理を行った場合、ＲＯＭに記憶した対応情報の”全ユーザ”に登録された
初期画面
（ケ）前記（ウ）で検討したとおり、引用発明の「ユーザ毎の初期画面」の「情報」と本願発明の「画面を色反転するか否かを示す色反転情報」とは、「表示手段の表示態様を決定する情報」という点で共通するから、引用発明の「ログイン処理を行った場合、このユーザに対して対応情報の初期画面として登録された
初期画面
色反転情報
表示手段の表示態様を決定する情報
（コ）引用発明の「ＭＦＰは、このユーザのログアウト処理を行って、ＲＯＭに記憶した対応情報の全ユーザに共通の初期画面をタッチパネルの表示面に表示」することと、本願発明の「画像形成装置からユーザがログアウトしたことに従って、前記記憶手段に前記デバイス設定情報として記憶された色反転情報に基づいて操作画面を表示すること」とは、「画像形成装置からユーザがログアウトしたことに従って、前記記憶手段に前記デバイス設定情報として記憶された表示手段の表示態様を決定する情報に基づいて操作画面を表示すること」で共通する。
イ　一致点・相違点
　前記「ア」の検討をふまえれば、本願発明と引用発明とは、つぎの一致点で一致し、相違点で相違するものである。
　
＜一致点＞
「画像形成装置であって、
　表示手段の表示態様を決定する情報を、ユーザを識別するためのユーザ識別情報に関連付けて個人設定情報として記憶し、前記表示手段の表示態様を決定する情報を、前記個人設定情報とは独立したデバイス設定情報として記憶する記憶手段と、
　前記画像形成装置にユーザをログインさせるためのログイン処理を実行する実行手段と、
　前記画像形成装置にユーザがログインしたことに従って、前記画像形成装置にログインしたユーザを識別するためのユーザ識別情報に関連付けて前記記憶手段に記憶された表示手段の表示態様を決定する情報に基づいて操作画面を表示する表示手段と、
を有し、
　前記実行手段は、前記画像形成装置から、前記ユーザをログアウトさせるログアウト処理を実行させ、
　前記画像形成装置からユーザがログアウトしたことに従って、前記記憶手段に前記デバイス設定情報として記憶された表示手段の表示態様を決定する情報に基づいて操作画面を表示することを特徴とする画像形成装置。」
＜相違点＞
相違点１：本願発明において「表示手段の表示態様を決定する情報」が「画面を色反転するか否かを示す色反転情報」であるのに対して、引用発明においては「設定された初期画面」の情報である点。
相違点２：本願発明において「ユーザがログインしている状態である間は、当該ユーザを識別するためのユーザ識別情報に関連付けて前記記憶手段に記憶された色反転情報に基づいて操作画面を表示」するのに対して、引用発明は、ユーザがログインしている状態である間、ユーザに対して対応情報の初期画面として登録された初期画面」が表示されるか否かが不明である点。
ウ　相違点についての当審の判断
（ア）相違点１について
　相違点１について検討する。
　例えば、本願出願日前に出願公開された特開２０１３−１３１８７５号公報には「・・・図４は
画像形成装置のユーザーがタッチパネル部２０１の画面色を反転表示させる際の設定画面
　引用発明における「初期画面の設定」は、個別のユーザの好みに応じて設定されるものであるところ、「操作部の設定画面の画面色を反転表示させるか否かの設定」もユーザが好みに応じて設定するものであることは、技術常識に照らせば明らかである。
　してみると、引用発明において、各ユーザと全ユーザに対応して初期画面の設定に加えて、個別のユーザに好みに応じて周知技術である操作画面の画面色を反転表示させるか否かの設定を加えるようにすることは、当業者が必要に応じて適宜なし得る程度の設計的事項というべきである。
（イ）相違点２について
ａ　引用発明において、「ユーザがログインしている状態である間」、当該ユーザは画像形成装置を操作するために初期画面以外の画面の表示をすると想定されるから、「ユーザーがログインしている間」常に「初期画面」の表示がされるとは限らない。
　しかしながら、ユーザの好みに応じて設定されるところの「表示画面の画面色を判定表示させるか否かの設定」は、通常、当該ユーザが使用している間に表示される表示画面においても同様に表示されるよう設定されているものであることは、技術常識に照らせば当業者にとって明らかであるから、上記（ア）で検討したように、引用発明において、各ユーザと全ユーザに対応して、「初期画面の設定」に加えて、「表示画面の画面色を反転表示させるか否かの設定」を加えるようにした場合においては、「ユーザーがログインしている間」に表示される画面が初期画面から初期画面以外の画面に変わっても、画面を色反転するか否かの設定は変更されないように設計することは、当業者であれば当然採用すべき設計的事項であるというべきである。
　してみると、相違点２は、引用発明に周知の周知技術である操作画面の画面色を反転表示させるか否かの色反転の設定を加えるようにすることに応じて適宜なし得る程度の設計的事項にすぎない。
ｂ　令和２年１２月８日提出の意見書における主張について
　審判請求人は前記意見書において以下の主張をしている。
「すなわち、引用文献１には、ユーザがログインした直後に表示される初期画面を予め登録しておくことが開示されていますが、開示されている内容はログインしたユーザがタッチ操作等を行うと、画面の表示は切り替わるというものです。したがって、この引用文献１に記載の内容に対して、引用文献２に記載されているような「色反転情報の設定」を加えた場合、ユーザがログインした直後に表示される初期画面が色反転情報にしたがって表示されるようにすることは容易に想到し得るかもしれません。しかしながら、引用文献１に記載の内容は、上述したように、ログイン後に、当該ログインしたユーザがタッチ操作すると設定画面を切り替わるものですので、本願のように「ユーザがログインしている間は、そのユーザのユーザ識別情報に関連づけられた色反転情報に基づく操作画面の表示を継続する」ことは、引用文献１、２に開示も示唆もされておらず、引用文献１、２の発明から容易に想到できるものではないと思料致します。
　したがって、特許法第２９条第２項による拒絶理由は解消されているものと思料致します。」（３頁２０行ないし３２行。）
　しかしながら、前記「ａ」で検討したとおり、引用発明において、各ユーザと全ユーザに対応して、「初期画面の設定」に加えて、「表示画面の画面色を反転表示させるか否かを設定」することは、当業者であれば容易に想到し得る程度のことであり、引用発明において「初期画面の設定」に「表示画面の画面色を反転表示させるか否かの設定」を加えた場合、「画面を色反転するか否かの設定」は、画像形成装置を使用するユーザの好みに応じて設定されるものであるから、技術常識的にみて引用発明において「ユーザーがログインしている間」に表示される画面が初期画面から初期画面以外の画面に変わっても、画面を色反転するか否かの設定は変更されないように設計することは、当業者であれば当然採用すべき技術事項であるというべきである。
（ウ）本願発明の効果は、引用発明及び周知技術から当業者が予測し得る程度のものであって格別のものではない。　
エ　小括　
　以上のとおりであるから、本願発明は、引用発明及び周知技術に基づいて、当業者が容易に発明をすることができたものである。
第４　むすび
　以上のとおり、本願発明は、特許法第２９条２項の規定により特許を受けることができないから、他の請求項に係る発明について検討するまでもなく、本願は拒絶されるべきものである。
　よって、結論のとおり審決する。